(57)【要約】【課題】ユーザが自転車を再び使用する際、前回使用したときの高さへ迅速かつ簡便にサドルの位置を決めることができる自転車サドルの位置決め装置およびその位置決め方法を提供する。【解決手段】自転車サドルの位置決め装置は、シートポスト１０１の軸方向へ延伸するように、シートポスト１０１の側辺に設けられた溝部１００と、溝部１００中でシートポスト１０１の軸方向にだけ摺動し、溝部１００の所定位置に係止された係止部材１１０と、立パイプ１０２の外側へ配置され、シートポスト１０１を位置決めする締結具１２０と、溝部１００中へ突出するように締結具１２０上に設けられ、係止部材１１０の移動を阻止する位置決め部１３０とを備える。【選択図】図１
2010260529.tif 000002
【特許請求の範囲】
【請求項１】
シートポストの軸方向へ延伸するように、前記シートポストの側辺に設けられた溝部と、
前記溝部中で前記シートポストの軸方向にだけ摺動し、前記溝部の所定位置に係止された係止部材と、
立パイプの外側へ配置され、前記シートポストを位置決めする締結具と、
前記溝部中へ突出するように前記締結具上に設けられ、前記係止部材の移動を阻止する位置決め部と、
を備えることを特徴とする自転車サドルの位置決め装置。
【請求項２】
前記係止部材に穿設された少なくとも１つのネジ孔と、
前記ネジ孔に螺着され、前記溝部の所定位置に前記係止部材が係止されるように、前記ネジ孔に貫設され、前記溝部に当接される端部を有する少なくとも１つの螺着部材と、
を備えることを特徴とする請求項１に記載の自転車サドルの位置決め装置。
【請求項３】
前記螺着部材は、前記溝部の所定位置へ前記係止部材を係止するために、前記溝部に当接されることを特徴とする請求項２に記載の自転車サドルの位置決め装置。
【請求項４】
前記係止部材は弾性部材であることを特徴とする請求項１に記載の自転車サドルの位置決め装置。
【請求項５】
前記係止部材は、
前記溝部の延伸方向に対して垂直な方向へ穿設された少なくとも１つの孔部と、
前記係止部材へ当接されて変形され、前記溝部中へ押圧される少なくとも１つの押し片と、を有することを特徴とする請求項４に記載の自転車サドルの位置決め装置。
【請求項６】
前記孔部の口径は、外側から内側にかけて小さくなり、押し片より小さいことを特徴とする請求項５に記載の自転車サドルの位置決め装置。
【請求項７】
前記係止部材は、
内側にネジ山を有する少なくとも１つの孔部と、
前記係止部材の外側に設けられた少なくとも１つの凸部と、
前記孔部の前記ネジ山に螺着され、前記溝部の所定位置へ当接される前記凸部により変形される少なくとも１つの螺着部材と、
を有することを特徴とする請求項４に記載の自転車サドルの位置決め装置。
【請求項８】
前記溝部はダブテール形状からなることを特徴とする請求項１に記載の自転車サドルの位置決め装置。
【請求項９】
前記係止部材はダブテール形状からなることを特徴とする請求項８に記載の自転車サドルの位置決め装置。
【請求項１０】
シートポストの側辺に配置された係止部材をシートポストの軸方向へ摺動させるステップと、
前記シートポストの所定位置へ前記係止部材を係止させるステップと、
立パイプ中へ前記シートポストを伸縮自在に内嵌させるステップと、
前記係止部材に前記立パイプの位置決め部を当接させ、所定高さへ前記シートポストの位置を決めるステップと、
を含むことを特徴とする自転車サドルの位置決め方法。
【発明の詳細な説明】
【技術分野】
【０００１】
本発明は位置決め装置および位置決め方法に関し、特に、自転車サドルの位置決め装置およびその位置決め方法に関する。
【背景技術】
【０００２】
近年、環境保護に対する意識が高まってきている上、レジャーの活動の流行に伴い、自転車が益々普及し、自転車に対するユーザの要求も高まっている。
【０００３】
従来市販されている自転車サドルは、一般の自転車であれ、折り畳み自転車であれ、シートポストを下げて短くし、自転車の収納空間を小さくすることができる。しかし、シートポストを下げて収納した自転車を再び使用する際には、サドルを適切な高さへ再び調整する必要があった。さらに、ユーザがこの調整作業を行うには、時間が掛かる上、収納した自転車を再び組み立てる作業が面倒であった。
【先行技術文献】
【特許文献】
【０００４】
【特許文献１】台湾実用新案第Ｍ２５５８３６号明細書
【発明の概要】
【発明が解決しようとする課題】
【０００５】
本発明は、上記問題点を鑑みて為されたものであり、その目的は、ユーザが自転車を再び使用する際、前回使用したときの高さへ迅速かつ簡便にサドルの位置を決めることができる自転車サドルの位置決め装置およびその位置決め方法を提供することにある。
【課題を解決するための手段】
【０００６】
上述の目的を達成するため、請求項１の発明では、シートポストの軸方向へ延伸するように、シートポストの側辺に設けられた溝部と、溝部中でシートポストの軸方向にだけ摺動し、溝部の所定位置に係止された係止部材と、立パイプの外側へ配置され、シートポストを位置決めする締結具と、溝部中へ突出するように締結具上に設けられ、係止部材の移動を阻止する位置決め部と、を備えることを特徴とする。
【０００７】
請求項２の発明では、係止部材に穿設された少なくとも１つのネジ孔と、ネジ孔に螺着され、溝部の所定位置に係止部材が係止されるように、ネジ孔に貫設され、溝部に当接される端部を有する少なくとも１つの螺着部材と、を備えることを特徴とする。
【０００８】
請求項３の発明では、螺着部材は、溝部の所定位置へ係止部材を係止するために、溝部に当接されることを特徴とする。
【０００９】
請求項４の発明では、係止部材は弾性部材であることを特徴とする。
【００１０】
請求項５の発明では、係止部材は、溝部の延伸方向に対して垂直な方向へ穿設された少なくとも１つの孔部と、係止部材へ当接されて変形され、溝部中へ押圧される少なくとも１つの押し片と、を有することを特徴とする。
【００１１】
請求項６の発明では、孔部の口径は、外側から内側にかけて小さくなり、押し片より小さいことを特徴とする。
【００１２】
請求項７の発明では、係止部材は、その内側にネジ山を有する少なくとも１つの孔部と、  係止部材の外側に設けられた少なくとも１つの凸部と、孔部のネジ山に螺着され、溝部の所定位置へ当接される凸部により変形される少なくとも１つの螺着部材と、を有することを特徴とする。
【００１３】
請求項８の発明では、溝部はダブテール形状からなることを特徴とする。
【００１４】
請求項９の発明では、係止部材はダブテール形状からなることを特徴とする。
【００１５】
請求項１０の発明では、シートポストの側辺に配置された係止部材をシートポストの軸方向へ摺動させるステップと、シートポストの所定位置へ係止部材を係止させるステップと、立パイプ中へシートポストを伸縮自在に内嵌させるステップと、係止部材に立パイプの位置決め部を当接させ、所定高さへシートポストの位置を決めるステップと、を含むことを特徴とする。
【発明の効果】
【００１６】
本発明の自転車サドルの位置決め装置およびその方法は、ユーザが自転車を再び使用する際、前回使用したときの高さへ迅速かつ簡便にサドルの位置を決めることができる。
【図面の簡単な説明】
【００１７】
【図１】本発明の一実施形態による自転車サドルの位置決め装置を示す分解斜視図である。
【図２】シートポストに締結具を装着したときの状態を示す図１の部分拡大図である。
【図３】自転車サドルを位置決めしたときの状態を示す図１の部分拡大図である。
【図４】図３の線４−４に沿った断面図である。
【図５】本発明の他の実施形態による自転車サドルの位置決め装置を示す断面図である。
【図６】本発明の他の実施形態による自転車サドルの位置決め方法を示す流れ図である。
【発明を実施するための形態】
【００１８】
以下、本発明の実施形態を図面に基づいて説明する。なお、これにより本発明が限定されるものではない。
【００１９】
図１を参照する。図１は、本発明の一実施形態による自転車サドルの位置決め装置を示す分解斜視図である。
【００２０】
図１に示すように、本実施形態の自転車サドルの位置決め装置は、溝部１００、係止部材１１０、締結具１２０および位置決め部１３０を含む。
【００２１】
溝部１００は、ダブテール形状からなり、自転車のシートポスト１０１の軸方向へ延伸されるように側辺に設けられている。シートポスト１０１は、自転車の立パイプ１０２中へ可動可能に内嵌されている。
【００２２】
係止部材１１０は、溝部１００中で軸方向にしか摺動しないように、ダブテール形状からなる。係止部材１１０は、２つのネジ孔１１１と、ネジ孔１１１中に螺着させる２つの螺着部材１１２と、を含む。所定位置まで係止部材１１０を摺動させ、係止部材１１０のネジ孔１１１へ螺着部材１１２を緊締させると、溝部１００中の所定位置に係止部材１１０が位置決めされる。そのため、ユーザが自転車を再び使用する際、前回使用したときの高さへ迅速かつ簡便にサドルの位置を決めることができる。
【００２３】
所定位置へシートポスト１０１を位置決めする際は、立パイプ１０２中へシートポスト１０１を緊締固定する立パイプ１０２に外嵌された締結具１２０を用いる。締結具１２０は、溝部１００中に突出される位置決め部１３０が内側に設けられている。溝部１００中の所定位置に係止部材１１０が係止されると、位置決め部１３０により係止部材１１０の移動が阻止されるため、ユーザが自転車を再び使用する際、前回使用したときの高さへ迅速かつ簡便にサドルの位置を合わせることができる。
【００２４】
図２および図３を参照する。図２は、シートポストに締結具を装着したときの状態を示す図１の部分拡大図である。図３は、自転車サドルを位置決めしたときの状態を示す図１の部分拡大図である。
【００２５】
図２に示すように、螺着部材１１２により溝部１００中の所定位置へ係止部材１１０を係止した後、締結具１２０を緩め、立パイプ１０２中へシートポスト１０１を挿入する。これにより、自転車の収納空間を小さくすることができるとともに、自転車を使用するときのシートポスト１０１を位置決めすることができる。
【００２６】
図３に示すように、シートポスト１０１を引き上げ、所定位置に係止された係止部材１１０が位置決め部１３０の下に当接されると、移動が阻止される。この際、シートポスト１０１は、前回使用したときの高さと同じとなる。このように、自転車に乗る際、締結具１２０を用いるだけでユーザの所望の高さへシートポスト１０１を位置決めして緊締固定することができる。
【００２７】
図４を参照する。図４は、図３の線４−４に沿った断面図である。
ネジ孔１１１中へ螺着部材１１２を螺入させると、ネジ孔１１１から突出された螺着部材１１２の端部が溝部１００に当接される。これにより、溝部１００の所定位置に係止部材１１０が緊密に係止されるため、ユーザが自転車を使用する際、いつも使用している高さへ迅速かつ簡便にシートポスト１０１の位置を決めることができる。
【００２８】
図５を参照する。図５は、本発明の他の実施形態による自転車サドルの位置決め装置を示す断面図である。
【００２９】
係止部材５１０は、孔部５１１および押し片５１２を含む弾性部材である。係止部材５１０には、溝部１００の延伸方向に対して垂直となるように孔部５１１が穿設されている。係止部材５１０は、孔部５１１に当接された押し片５１２により押圧されて変形し、溝部１００中に係止される。
【００３０】
孔部５１１の口径は、押し片５１２より小さく、また、外側から内側に向けて徐々に小さくなっている。これにより、係止部材５１０は、孔部５１１に当接された押し片５１２により変形され、溝部１００中へ緊密に係止される。
【００３１】
図６を参照する。図６は、本発明の他の実施形態による自転車サドルの位置決め方法を示す流れ図である。
【００３２】
図６に示すように、本実施形態による自転車サドルの位置決め方法は、以下のステップ６００〜ステップ６３０を含む。
【００３３】
ステップ６００：自転車のシートポストの側辺に配置した係止部材をシートポストの軸方向へ摺動させる。
【００３４】
ステップ６１０：シートポストの所望の高さに応じ、シートポストの側辺の所定位置へ係止部材を位置決めさせる。
【００３５】
ステップ６２０：シートポストを下げる前に、いつも使用するシートポストの高さを係止部材により位置決めしてから、自転車の立パイプ中へシートポストを入れる。
【００３６】
ステップ６３０：ユーザがシートポストを再び引き出すとき、立パイプの位置決め部により係止部材の移動が阻止され、所定高さへシートポストの位置を決めることができる。このように、前回使用した高さへ調整し、簡便かつ迅速に所定位置へシートポストの位置を決めることができる。
【００３７】
上述したことから分かるように、本発明は、ユーザが自転車を使用し終わって収納する際、いつも使用するシートポストの高さに係止部材を係止させた後、立パイプへシートポストを内嵌させる。自転車を次回使用する際、前回係止部材を係止した位置までシートポストを引き出すと、締結具の位置決め部により係止部材の移動が阻止されるため、前回使用した位置までシートポストが引き出されると、それ以上引き出すことができなくなる。このように、ユーザは、前回使用したときの高さへ迅速かつ簡便にシートポストの位置を決めることができる。
【００３８】
当該技術分野の当業者が実施できるように、本発明の好適な実施形態を前述の通り開示したが、これらは決して本発明を限定するものではない。本発明の主旨と範囲を脱しない範囲内で各種の変更や修正を加えることができる。従って、本発明による特許請求の範囲は、このような変更や修正を含めて広く解釈されるべきである。
【符号の説明】
【００３９】
１００：溝部、１０１：シートポスト、１０２：立パイプ、１１０：係止部材、１１１：ネジ孔、１１２：螺着部材、１２０：締結具、１３０：位置決め部、５１０：係止部材、５１１：孔部、５１２：押し片。
【図１】
2010260529.tif 000003
【図２】
2010260529.tif 000004
【図３】
2010260529.tif 000005
【図４】
2010260529.tif 000006
【図５】
2010260529.tif 000007
【図６】
2010260529.tif 000008